(57)【要約】【課題】職場などにおける情報の携帯デバイスを用いた外部漏洩をできるだけなく少なくすることができる手段を提供すること。【解決手段】情報をストレージ可能な携帯デバイス（Ｍ）を含み、携帯デバイスを収納するホルダー（２０，１２０，２２０）と、携帯デバイスの下に置かれるホルダー内に配置されたかさ上げ台（５０，１５０）と、ホルダーを平行に並べかつ手前に引き出し可能に傾斜保持する本体（１０，１１０，２１０）と、ホルダーを本体内に収納したときにホルダ部材を本体に係留するロック手段（３０）とから情報をストレージ可能な携帯デバイスを一時預りするための保管ケースを構成した。【選択図】図３
2008066890.tif 000002
【特許請求の範囲】
【請求項１】
情報をストレージ可能な携帯デバイスを含み、携帯デバイスを収納するホルダーと、携帯デバイスの下に置かれるホルダー内に配置されたかさ上げ台と、ホルダーを平行に並べかつ手前に引き出し可能に傾斜保持する本体と、ホルダーを本体内に収納したときにホルダ部材を本体に係留するロック手段とからなることを特徴とする携帯デバイス用保管ケース。
【請求項２】
ホルダーが携帯デバイスの厚み方向を正面にして収納するサイズに形成されている請求項１に記載の保管ケース。
【請求項３】
ホルダー内の携帯デバイスの有無を表す表示手段を備えている請求項１又は請求項２に記載の保管ケース。
【請求項４】
表示手段がロック手段による施錠および解錠に関連して色彩の異なる標識を出し入れしている請求項３に記載の保管ケース。
【請求項５】
かさ上げ台が携帯デバイスを載せる上面に指掛かりを備えている請求項４に記載の保管ケース。
【請求項６】
情報をストレージ可能な携帯デバイスを含み、携帯デバイスを収納する上方が開放されたホルダーと、携帯デバイスの下に置かれるホルダー内に配置されたかさ上げ台と、ホルダーを平行に並べ、かつ手前に手前に傾斜して配置させる本体と、ホルダーの上方開口上の位置とこれから退避した位置との間を垂直方向に回転するように本体に保持された蓋板と、蓋板をホルダーの上部開口上で固定するロック手段とからなることを特徴とする携帯デバイス用保管ケース。
【請求項７】
ホルダーが携帯デバイスの厚み方向を正面にして収納するサイズに形成されている請求項６に記載の保管ケース。
【請求項８】
ホルダー内の携帯デバイスの有無を表す表示手段を備えている請求項６又は請求項７に記載の保管ケース。
【請求項９】
情報をストレージ可能な携帯デバイスを含み、携帯デバイスを収納する上方が開放されたホルダーと、携帯デバイスの下に置かれるホルダー内に配置されたかさ上げ台と、ホルダーを平行に並べ、かつ手前に手前に傾斜して配置させる本体と、ホルダーの上方開口上の位置とこれから退避した位置との間を水平方向に回転するように本体に保持された蓋板と、蓋板をホルダーの上部開口上で固定するロック手段とからなることを特徴とする携帯デバイス用保管ケース。
【請求項１０】
ホルダーが携帯デバイスの厚み方向を正面にして収納するサイズに形成されている請求項９に記載の保管ケース。
【請求項１１】
表示手段がロック手段による施錠および解錠に関連して色彩の異なる標識を出し入れしている請求項９又は請求項１０に記載の保管ケース。
【発明の詳細な説明】
【技術分野】
【０００１】
本発明は、情報をストレージ可能な携帯デバイス用保管ケースに係わり、さらに詳しくは、携帯電話のような移動体通信サービスの端末、携帯型デジタル音楽プレイヤー、携帯情報端末（ＰＤＡ）などの情報をストレージすることができる携帯デバイスの複数台を同時に保管することができるケースに関する。
【背景技術】
【０００２】
この種の携帯デバイスは、ほとんどの人が所有するところとなり、その機能は多機能、高機能になっている。様々な業種の職場においては、例えば携帯電話のカメラ機能やインターネット機能での情報の持ち出し漏洩が心配されている。実際に、情報をこのような携帯デバイスに格納し、自宅のパーソナルコンピュータに転送したところ、パーソナールコンピュータにインストールしてあるファイル交換やファイル共有ソフトウェアなどによって外部に漏洩し、インターネットの世界を浮遊していることが報告されている。
【発明の開示】
【発明が解決しようとする課題】
【０００３】
本発明は、情報をストレージ可能な携帯デバイスを、出社したとき、或は、外来の訪問者が入場（入室）するときなどに預かって保管し、退出するときに返還するようにして、このような情報の外部漏洩をできるだけなく少なくすることができる保管ケースを提供することを、その課題としている。
【課題を解決するための手段】
【０００４】
上記課題を解決することを目的としてなされた本発明の情報をストレージ可能な携帯デバイス用保管ケースの構成は、情報をストレージ可能な携帯デバイスを含み、携帯デバイスを収納するホルダーと、携帯デバイスの下に置かれるホルダー内に配置されたかさ上げ台と、ホルダーを平行に並べかつ手前に引き出し可能に傾斜保持する本体と、ホルダーを本体内に収納したときにホルダ部材を本体に係留するロック手段とからなることを特徴とするものである。
【０００５】
上記構成において、本発明の保管ケースは、ホルダーが携帯デバイスの厚み方向を正面にして収納するサイズに形成されていても良い。本発明保管ケースでは、携帯デバイスを正面向きにして収納するサイズに形成したものもある。この点は、以下に述べる構成の本発明保管ケースについても同様である。
【０００６】
ここにおいて、本発明の保管ケースは、ホルダー内の携帯デバイスの有無を表す表示手段を備えていても良く、ロック手段による施錠および解錠に関連して色彩の異なる標識を出し入れする表示手段として構成しても良い。
【０００７】
また、本発明の保管ケースでは、かさ上げ台が携帯デバイスを載せる上面に指掛かりを備えていても良い。
【０００８】
本発明では、上記課題を達成することができる本発明携帯デバイス用保管ケースの構成として、情報をストレージ可能な携帯デバイスを含み、携帯デバイスを収納する上方が開放されたホルダーと、携帯デバイスの下に置かれるホルダー内に配置されたかさ上げ台と、ホルダーを平行に並べ、かつ手前に手前に傾斜して配置させる本体と、ホルダーの上方開口上の位置とこれから退避した位置との間を垂直方向に回転するように本体に保持された蓋板と、蓋板をホルダーの上部開口上で固定するロック手段とからなることを特徴とするものもある。
【０００９】
この構成においても、本発明の保管ケースは、ホルダーが携帯デバイスの厚み方向を正面にして収納するサイズに形成されていても良く、また、ホルダー内の携帯デバイスの有無を表す表示手段を備えていても良く、さらには、蓋板の表裏に施された異なる色彩や模様からなるホルダー内の携帯デバイスの有無を表すようにした表示手段として構成しても良い。
【００１０】
さらに、上記課題を達成することができる本発明携帯デバイス用保管ケースは、情報をストレージ可能な携帯デバイスを含み、携帯デバイスを収納する上方が開放されたホルダーと、携帯デバイスの下に置かれるホルダー内に配置されたかさ上げ台と、ホルダーを平行に並べ、かつ手前に手前に傾斜して配置させる本体と、ホルダーの上方開口上の位置とこれから退避した位置との間を水平方向に回転するように本体に保持された蓋板と、蓋板をホルダーの上部開口上で固定するロック手段とからなることを特徴とするものである。
【００１１】
上記構成においても、本発明の保管ケースは、ホルダーが携帯デバイスの厚み方向を正面にして収納するサイズに形成されていても良く、ホルダー内の携帯デバイスの有無を表す表示手段を備えていても良く、ロック手段による施錠および解錠に関連して色彩の異なる標識を出し入れする表示手段として構成しても良い。
【発明の効果】
【００１２】
本発明の情報をストレージ可能な携帯デバイス用保管ケースは、情報をストレージ可能な携帯デバイスを含み、携帯デバイスを収納するホルダーと、携帯デバイスの下に置かれるホルダー内に配置されたかさ上げ台と、ホルダーを平行に並べかつ手前に引き出し可能に傾斜保持する本体と、ホルダーを本体内に収納したときにホルダ部材を本体に係留するロック手段とからなるため、又、情報をストレージ可能な携帯デバイスを含み、携帯デバイスを収納する上方が開放されたホルダーと、携帯デバイスの下に置かれるホルダー内に配置されたかさ上げ台と、ホルダーを平行に並べ、かつ手前に手前に傾斜して配置させる本体と、ホルダーの上方開口上の位置とこれから退避した位置との間を垂直方向に回転するように本体に保持された蓋板と、蓋板をホルダーの上部開口上で固定するロック手段とからなるため、そして、情報をストレージ可能な携帯デバイスを含み、携帯デバイスを収納する上方が開放されたホルダーと、携帯デバイスの下に置かれるホルダー内に配置されたかさ上げ台と、ホルダーを平行に並べ、かつ手前に手前に傾斜して配置させる本体と、ホルダーの上方開口上の位置とこれから退避した位置との間を水平方向に回転するように本体に保持された蓋板と、蓋板をホルダーの上部開口上で固定するロック手段とからなるため、情報をストレージ可能な携帯デバイスを出勤するときなどに預かって保管し、退出するときに返還するようにして、このような情報の外部漏洩をできるだけなく少なくすることができる。
【００１３】
すなわち、所有者が自分の携帯デバイスを自身のロッカーなどに保管するのでなく、統一された場所に携帯デバイスを預けることができるので、携帯デバイスを通じての情報の外部持ち出しを防ぐことができ、携帯デバイスを収納したホルダーが本体に平行に並べられているため、多数の携帯デバイスを少ないスペースに配置することができる。さらに、ロック手段によって第三者が携帯デバイスを勝手に持ち出せないようして、個人所有物である携帯デバイスの紛失、損傷、盗難などを防ぐことができるので、所有者が自分の携帯デバイスを自身のロッカーなどに保管するのでなく、統一された場所に安心して預けることができる。そして、携帯デバイスの下に位置してホルダー内に配置されたかさ上げ台によって、携帯デバイスのサイズに大小があっても、携帯デバイスの高さを揃えることができるため、ホルダーからの形態デバイスの出し入れを簡単におこなうことができる。
【００１４】
本発明保管ケースにおいて、ホルダーが携帯デバイスの厚み方向を正面にして収納するサイズに形成されていると、間口方向の寸法を小さくすることができて、設置の自由度を高くすることができる。
【００１５】
本発明保管ケースにおいて、ホルダー内の携帯デバイスの有無を表す表示手段を備えていると、表示手段によって各ホルダー内の携帯デバイスの有無を表すことができるので、互いに携帯デバイスを職場に持ち込しているかどうかを監視することができて、携帯デバイスの職場内などへの持ち込みを自制させることができる。
【００１６】
本発明保管ケースにおいて、かさ上げ台が携帯デバイスを載せる上面に指掛かりを備えていると、ホルダーからの取り出しやホルダーへの再挿入を簡単に行うことができる。
【発明を実施するための最良の形態】
【００１７】
以下、図面を参照して、本発明情報をストレージ可能な携帯デバイス用保管ケースの一実施例を説明する。
【００１８】
添付図において、図１は本発明のストレージ可能な携帯デバイス用保管ケースの実施例１を示す正面図、図２は図１の側面図、図３は図１の３−３線に沿う拡大断面図、図４は使用状態を示す拡大断面図、図５は本発明のストレージ可能な携帯デバイス用保管ケースの実施例２を示す正面図、図６は図５の６−６線に沿う断面図、図７は本発明のストレージ可能な携帯デバイス用保管ケースの実施例３を示す正面図、図８は図７の８−８線に沿う断面図である。
【００１９】
実施例として説明する保管ケースは、移動体通信システムの端末、すなわち、多数の携帯電話器やＰＨＳ電話器を保管するためのものである。
【実施例１】
【００２０】
この保管ケースは、図１〜４に示すように、携帯電話Ｍを収納するホルダー２０と、携帯電話Ｍの下に置かれるホルダー内に配置されたかさ上げ台５０と、ホルダー２０を平行に並べ、かつ手前に手前に引き出し可能に傾斜保持する本体１０と、ホルダー２０を本体内に収納したときにホルダー２０を本体１０に係留するロック手段３０と、ホルダー内の携帯電話の在否を表す表示手段４０とを備えている。
【００２１】
本体１０は、平行配置された上部パネル１１および下部パネル１２の両端を一対の側部パネル１３，１４によって、背面を背部パネル１５によって溶接又はねじ締結した、前面を開放された横長の箱形に形成されている。各部材１１〜１５は、鋼板をプレス機によって折り曲げ加工しものを、スポット溶接することによって形成されている。
【００２２】
本体内部にはホルダー２０が配置されている。ホルダー２０も、鋼板をプレス加工し、スポット溶接することによって形成されたもので、上面が開放された縦長の箱形形状をんしている。正面板２１は背面板２２よりも高さが低く、側面板２３，２４は上縁が前方に向かって斜め下方に傾斜している。
【００２３】
各ホルダ２０は、側部パネル１３，１４に固定されたシャフト１６に回転可能に保持されている。シャフト１６は、各ホルダー２０の側面板２３，２４を貫通し、底面板２６の下方に配置された軸受け部材２５に保持されている。シャフト１６は、ホルダー２０の正面板２１の近くに配置されており、ホルダー２０は、シャフト１６を中心に旋回して、上面開口を本体１０の上部パネル１１の外部に露出可能になっている。
【００２４】
ホルダー２０の旋回角度は、背面板２２に固定された当たり板２７によって制限されている。この当たり板２７は一端を背面板２２に固定されている。一方、本体１０の背部パネル１５の内面には、Ｌ字状の形態をもつストッパー１７が固定されており、その水平片には永久磁石板１８が固定されている。ホルダー２０がシャフト１６を中心に旋回し、ある角度になると、当たり板２７の自由端が永久磁石板１８に吸着され、上面開口を上部パネル１１から露出した状態で旋回を停止する。
【００２５】
ロック手段３０は上部パネル１１に配置されたシリンダー錠３１を含んでいる。このシリンダー錠３１は、キー挿入口３２を正面から露出させて、上部パネル１１に組み込まれている。シリンダー錠自体は、一例として、キーを角度９０°回転すると、ある方向に角度９０°回転して解錠し、キーを角度９０°反対方向に回転すると、反対方向に角度９０°回転して施錠するタイプのものである。本発明のロック手段３０に使用するシリンダー錠３１の施解錠作動角は、上記例に限られるものではなく、何度の作動角のものを用いるかは任意である。また、ロック手段３０としては、シリンダー錠以外の錠、例えば、タンブラー錠やいわゆるハチマンロックなどであってもよい。また、本発明保管ケースのロック手段３０には、上記シリンダー錠３１などの錠の施解錠を、カードキーやテンキーなどにより行うようにしたロック手段を用いることも可能である。
【００２６】
シリンダー錠３１のシリンダー３３には回転金具３４が結合されている。一方、背部パネル１５の正面側部材にはかんぬきガイド３５が固定されている。かんぬき３６がかんぬきガイド３５に保持されている。かんぬき３６は、ホルダー２０の背面板２２に固定されたフック３７に嵌る下方位置とフック３７から抜け出た上方位置との間を垂直にスライド可能になっている。かんぬきガイド３５とかんぬき３６との間にはコイルばね３８が掛け渡されている。このコイルばね３８は、かんぬき３６の上方（解錠）位置と下方（施錠）位置の保持（クリック装置）と、かんぬき３６の動きを補完するためのものである。なお、図示していないが、シリンダー錠３１の回転金具３４とかんぬき３６との間には、回転・直線移動変換機構が配置されている。
【００２７】
かんぬき３６は、シリンダー錠３１を角度９０°回転させたときに、この回転・直線移動変換機構によって下方位置に移動され、フック３７に係合し、ホルダー２０をロックし、シリンダー錠３１を角度９０°反対回転させたときに、この回転・直線移動変換機構によって上方位置に移動され、フック３７から離間し、ホルダー２０をアンロックするようになっている。
【００２８】
表示手段４０は上部パネル１１の前面部材にある窓４１を含んでいる。この表示窓４１はシリンダー錠３１に近接して配置されている。シリンダー錠３１の回転金具３４には表示板４２が固定されている。表示板４２には、シリンダー錠３１の回転中心に関して角度９０°離れて赤丸と青丸の標識が塗装され、施錠されると、赤丸が窓４１から見え、解錠されると、青丸が窓４１から見えるようになっている。
【００２９】
かさ上げ台５０は、ホルダー２０の内部に挿入可能なサイズをもつ中空ボックスの形態をなしている。折り畳み可能な携帯電話であっても、長尺な携帯電話と高さを揃えてホルダー２０に収納することができるようにして、収納および取り出しを容易にしている。そして、携帯電話Ｍを載せる上面５１には、孔からなる指掛かり５２が設けてあり、この指掛かり５２に指を入れて、かさ上げ台をホルダー２０から簡単に引き出せるようにしている。
【００３０】
この保管ケースは、例えば、職場の出入り口付近に設置され、所有者が簡便に携帯電話を預けることができるようしている。
【００３１】
入室者は、職場に入るときに、所有するキーによってシリンダー錠３１を解錠し、ホルダー２０を引き出して、携帯電話Ｍを容れ、ホルダー２０を戻して、シリンダー錠３１を施錠する。施錠すると、表示手段の窓４１が例えば青から赤に変わる。
【００３２】
退出するときには、所有するキーによってシリンダー錠３１を解錠し、ホルダー２０を引き出し、携帯電話Ｍを取り出し、ホルダー２０を戻し、シリンダー錠３１を施錠する。施錠すると、表示手段の窓４１が赤から青に変わり、ホルダー２０がからであることを明示する。
【００３３】
このように、すべての人が携帯電話Ｍを本発明保管ケースに収納すると、全ての表示手段の窓４１が赤に変わって、在室者の数と赤丸の数が一致し、不在者が一人でも居ると、一部が青になるため、同じ室内の人々がこれらを簡単に確認することができる。そこで、各人が携帯電話Ｍを職場に持ち込むことを互いに確認し、各人に自制を求めることができる。又、預けた人々は、携帯電話Ｍが密閉され、自身のもつキーによってホルダー２０がロックされ、第三者が勝手に取り出せず、しかも、損傷からも保護されるため、安心して預けることができる。
【００３４】
なお、以上説明した実施例において、ホルダー内の携帯電話の在否を表す表示手段はロック手段に連動しているが、例えば、ホルダー２０の前面板に窓を設け、窓からホルダー内の携帯電話の有無を見えるようにするなど、非連動な構成としても良い。又、かさ上げ台５０は、ボックス形状のものからなっているが、携帯電話Ｍの載る上面を構成する板材と折り畳み可能な脚とから構成して、携帯電話の長さが大きいときに、脚を折り畳んで、高さの低いそれと揃えるようにするなど、他の形態を採用することができる。
【実施例２】
【００３５】
図５および図６は本発明保管ケースの他の構成を示している。この保管ケースでは、ホルダーは、その携帯電話収納部が固定され、携帯電話を入れる口が垂直方向に回転する蓋板によって覆われている。詳しく説明する。
【００３６】
この保管ケースにおいて、ホルダー１２０は、前傾しているが、本体１１０と一体に形成され、本体１１０に傾倒位置で固定されている。上部開口は蓋板１２９によって覆われている。蓋板１２９は、本体１０の上部バネル１１１にシャフト１１６を中心にして垂直方向に回転可能に取り付けられていると共に、弦巻ばねなどのばねによって、二点差線で示すように、常時上方に回転され開いている。
【００３７】
シリンダー錠３１は、本体１１０の上方に固定されている。シリンダー錠３１におけるキーＫによって回転される部分には、回転金具１３４が結合されている。回転金具１３４は、施錠したときに、実線で示すように、蓋板１２９におけるシャフト１１６から内部に延びる部分に当たり、蓋板１２９を押さえてホルダー１２０を密閉し、解錠したときに、二点鎖線で示すように、蓋板１２９から離れて、ホルダー１２０をばねによって開放するようにしている。
【００３８】
かさ上げ台１５０は、例えば合成樹脂のソリッドな成形物からなっている。携帯電話Ｍを載せる上面１５１には、めくら穴からなる指掛かり１５２が設けてあり、この指掛かり１５２に指を入れることで、かさ上げ台自体もホルダー１２０から簡単に取り出せるようにしている。
【００３９】
このような保管ケースも、職場の出入り口付近に設置され、所有者が簡便に携帯電話を預け、入室者が職場に入るときに、ホルダー１２０に携帯電話Ｍを容れたあと、施錠することで、蓋板１２９がホルダー１２０の上部開口を覆い、携帯電話Ｍが密閉される。又、退室するときには、解錠して、蓋板１２９を上方に回転させて、ホルダー１２０を開放することによって、携帯電話Ｍをホルダー１２０から取り出すことができる。
【００４０】
この保管ケースも、すべての人が携帯電話Ｍを保管ケースに収納すると、蓋板１２９が閉じ、在室者の数と閉じた蓋板１２９の数が一致し、不在者が一人でも居ると、一部の蓋板１２９が開放されているため、同室内の人々がこれらを簡単に確認することができる。そこで、各人が携帯電話Ｍを職場に持ち込むことを互いに確認し、各人に自制を求めることができる。
【００４１】
又、預けた人々は、携帯電話Ｍが密閉され、自身のもつキーＫによってホルダー１２０が閉じられ、第三者が勝手に取り出せず、しかも損傷からも保護されるため、安心して預けることができる。そして、携帯電話Ｍが折り畳み可能な形態をもつものであっても、長尺な形態をもつものであっても、高さを揃えてホルダー１２０に収納することができるので、ホルダー１２０からの出し入れを簡単におこなうことができる。
【００４２】
ホルダー１２０における携帯電話Ｍの有無を示す表示手段は、図１〜図５に関連して説明した手段からなっていてもよく、又、蓋板１２９の表裏に異なる色彩や模様などを設ける、例えば、表面を青色に、裏面を赤色に塗装を施し、全てのホルダー１２０に携帯電話Ｍが保管すると、全ての蓋板１２９が青に変わって、在室者の数と青の数が一致し、不在者が一人でも居ると、一部が赤になるため、同じ室内の人々が簡単に確認することができるようしたり、さらに、ホルダー２２０の前面板に窓を設け、ここからホルダー２２０に収納された携帯電話Ｍが外部から確認できるようにする。
【００４３】
なお、この実施例２において、蓋板１２９は垂直方向に，蓋板２２９は水平方向に回転するようになっているが、手前に向かってスライドするようにしても良い。
【実施例３】
【００４４】
図７および図８は本発明保管ケースの他の構成を示している。この保管ケースでは、ホルダーは、その携帯電話収納部が固定され、携帯電話を入れる口が水平方向に回転する蓋板によって覆われている。
【００４５】
この保管ケースにおいて、本体２１０の上部パネル２１１を形成する前面板は斜め下方に傾斜している。シリンダー錠３１は、この前面板に取り付けられ、斜め上方に傾斜している。
【００４６】
携帯電話Ｍを収容するホルダー２２０は、図５および図６に示す保管ケースと同様に、前傾姿勢で本体２１０に組み込まれている。ホルダー２２０の上部開口は蓋板２２９によって閉じられ、ホルダー２２０は密閉されている。蓋板２２９は、シリンダー錠３１におけるキーＫによって回転される部分に水平方向に回転可能に取り付けられ、施錠すると、実線で示すように、ホルダー２２０を密閉し、解錠すると、水平方向に回転して、ホルダー２２０を開放するようにしている。なお、蓋板２２９は、隣接するホルダー２２０に蓋板２２９と垂直方向に厚み以上の距離を形成して互い違いに配置され、隣接するホルダー２２０の蓋板２２９を開けても、互いに干渉しないようにしてある。
【００４７】
かさ上げ台１５０は、図５および図６に関連して説明したように、ソリッドな合成樹脂成型物からなり、携帯電話Ｍを載せる上面１５１に指掛かりとなるめくら穴からなる指掛かり１５２を設けてある。
【００４８】
このような保管ケースも、職場の出入り口付近に設置され、所有者が簡便に携帯電話を預け、入室者が職場に入るときに、ホルダー２２０に携帯電話Ｍを容れたあと、施錠することで、蓋板２２９がホルダー２２０の上部開口を覆い、携帯電話Ｍが密閉される。又、退室するときには、解錠して、蓋板２２９を水平方向に回転させて、ホルダー２２０を開放することによって、携帯電話Ｍをホルダー２２０から取り出すことができる。
【００４９】
この保管ケースも、すべての人が携帯電話Ｍを保管ケースに収納すると、蓋板２２９が閉じ、在室者の数と閉じた蓋板２２９の数が一致し、不在者が一人でも居ると、一部の蓋板２２９が上がり、ホルダー２２０が開放されているため、同室内の人々がこれらを簡単に確認することができる。そこで、各人が携帯電話Ｍを職場に持ち込むことを互いに確認し、各人に自制を求めることができる。
【００５０】
又、預けた人々は、携帯電話Ｍが密閉され、自身のもつキーによってホルダー２２０が閉じられ、第三者が勝手に取り出せず、しかも、損傷からも保護されるため、安心して預けることができる。そして、携帯電話Ｍに高さに大小があっても、かさ上げ台１５０によって出し入れを簡単におこなうことができる。
【００５１】
なお、ホルダー２２０における携帯電話Ｍの有無を示す表示手段は、例えば、図１〜図５に関連して説明した手段からなるが、ホルダー２２０の前面板に窓を設け、ここからホルダー２２０に収納された携帯電話Ｍが外部から確認できる、つまり携帯電話Ｍを標識とするようにしても良い。
【００５２】
以上説明した実施例１，２，３において、各保管ケース１０は、横一列に十個のホルダー２０，１２０，１３０を配置したものからなっているが、必要に応じて、より少ないホルダー２０，１１０，２２０からなっていても、より多いかより少ない数のホルダーをもつ保管ケースを一モジュールとして、上下にスタックしかつ締結しても、左右に並べ又は上下左右に並べかつ連結したより大きなものとして構成しても良く、又、一台の大きな本体１０，１１０，２１０に縦横にホルダー２０，１２０，２２０を配列した構成としても良い。上記の点は、携帯電話Ｍを正面向きで収納できるように形成したホルダーを配置した保管ケースについても同様である。
【産業上の利用可能性】
【００５３】
本発明は以上の通りであって、会社などにおいて情報の外部漏洩をできるだけなく少なくするために、携帯デバイスを収納するホルダーと、携帯デバイスの下に置かれるホルダー内に配置されたかさ上げ台と、ホルダーを平行に並べかつ手前に引き出し可能に傾斜保持する本体と、ホルダーを本体内に収納したときにホルダ部材を本体に係留するロック手段とから携帯デバイスを預かり保管するための保管ケースを形成したので、職場等から携帯デバイスを利用して情報が流出，漏洩することを未然に防ぐことができる。
【図面の簡単な説明】
【００５４】
【図１】本発明携帯電話類の保管ケースの実施例１を示す正面図。
【図２】図１の側面図。
【図３】図１の３−３線に沿う拡大断面図。
【図４】使用状態を示す拡大断面図。
【図５】は実施例２を示す正面図。
【図６】図５の６−６線に沿う断面図。
【図７】実施例３を示す正面図。
【図８】図７の８−８線に沿う断面図。
【符号の説明】
【００５５】
１０          本体
１１          上部パネル
１２          下部パネル
１３，１４    側部パネル
１５          背部パネル
１６          シャフト
１７          ストッパー
１８          永久磁石板
２０          ホルダー
２１          正面板
２２          背面板
２３，２４    側板
２５          軸受け部材
２６          底面板
２７          当たり板
３０          ロック手段
３１          シリンダー錠
３２          キー挿入口
３３          シリンダー
３４          回転金具
３５          かんぬきガイド
３６          かんぬき
３７          フック
３８          コイルばね
４０          表示手段
４１          窓
４２          表示板
５０          かさ上げ台
５１          上面板
５２          指掛かり
１１０          本体
１１１          上部パネル
１１６          シャフト
１２０          ホルダー
１２９          蓋板
１３４          回転金具
１５０          かさ上げ台
１５１          上面
１５２          指掛かり
２１０          本体
２１１          上部パネル
２２０          ホルダー
２２９          蓋板
Ｋ          キー
Ｍ          携帯電話（携帯デバイス）
【図１】
2008066890.tif 000003
【図２】
2008066890.tif 000004
【図３】
2008066890.tif 000005
【図４】
2008066890.tif 000006
【図５】
2008066890.tif 000007
【図６】
2008066890.tif 000008
【図７】
2008066890.tif 000009
【図８】
2008066890.tif 000010